(57)【要約】【課題】特定の光源下において観察される潜像画像が形成された印刷物において、潜像画像の隠蔽力の高い印刷物を作製する方法を提供する。【解決手段】第１のハーフトーン領域及び第２のハーフトーン領域が隣接するように複数配置され、可視画像及び潜像画像が形成された網点印刷物の作製方法であり、可視画像の原画像である第１の画像データの明度と、潜像画像の原画像である第２の画像データの明度差をなくすために、第１の画像データの明度から第２の画像データの明度を引いた明度を有する複数の画素から成る明度合成データを作製した後、明度合成データとマスク処理後の第２の画像データを用いて作製した、網点印刷物の基となる合成データを基材上に出力することを特徴とする網点印刷物の作製方法。【選択図】図６
2014079917.tif 000002
【特許請求の範囲】
【請求項１】
基材上に、少なくとも第１のハーフトーン領域と第２のハーフトーン領域とが隣接するように複数配置され、前記第１のハーフトーン領域は、第１の色材により可視画像を形成する第１の網点部を有し、前記第２のハーフトーン領域は、潜像画像を形成する第２の網点部及び第２の背景部を有し、前記第２の網点部は、所定の観察条件下において視認可能な第１の機能性を有する第２の色材により形成され、前記第２の背景部は、前記第１の機能性を有しないか、又は前記第１の機能性とは異なる第２の機能性を有する第３の色材により形成された網点印刷物の作製方法であって、
複数の画素から成る前記可視画像の原画像である第１の画像データと、複数の画素から成る前記潜像画像の原画像である第２の画像データを取得又作製するステップと、
前記所定の観察条件下以外において、可視画像中に潜像画像が視認されることを防ぐために、前記第１の画像データを補正する処理として、前記第１の画像データの明度から前記第２の画像データの明度を引き、明度合成データを作製するステップと、
複数の前記第２のハーフトーン領域のそれぞれの位置、形状及び寸法、また、それぞれの前記第２のハーフトーン領域に含まれる前記第２の網点部及び前記第２の背景部の位置、形状及び寸法に関するマスクデータを取得又は作製するステップと、
前記第２の画像データを、複数の前記第２のハーフトーン領域で形成された画像データとするために、前記第２の画像データ及び前記マスクデータを重ねた後、前記第２の画像データにおける前記マスクデータの白画素に対応する部分を全て白画素に置き換えるためのマスク処理を行うステップと、
前記マスクデータ、前記マスク処理後の前記第２の画像データ及び前記明度合成データを合成し、合成データを作製するステップと、
前記合成データを、前記基材に所定の方法により出力するステップと、
を備えることを特徴とする網点印刷物の作製方法。
【請求項２】
前記明度合成データを作製するステップは、
前記第２の画像データを構成する複数の画素における最も高い明度を、前記第１の画像データを構成する複数の画素における最も高い明度に置き換え、前記第２の画像データを構成する複数の画素における最も低い明度を、前記第１の画像データを構成する複数の画素における最も低い明度に置き換え、明度調整データを作製するステップと、
前記明度調整データの明度を、前記第１の画像データの明度に加算し、前記明度合成データを作製するステップと、
を備えることを特徴とする請求項１記載の網点印刷物の作製方法。
【請求項３】
前記明度調整データを作製するステップは、
前記第２の画像データから明度情報を抽出する工程と、
前記第２の画像データを構成する複数の画素のうち、最も高い明度を有する画素と最も低い明度を有する画素の明度の差を小さくすることで、前記第２の画像データの明度を圧縮する工程と、
を備えることを特徴とする請求項２記載の網点印刷物の作製方法。
【請求項４】
前記第２の網点部を形成する色材が、前記第２の背景部を形成する色材よりも明度が低い場合、前記明度情報を抽出する工程と前記明度を圧縮する工程の間に、
前記第１の画像データを構成する複数の画素の明度を、前記第２の画像データを構成する複数の画素の明度よりも高くするために、前記第２の画像データの階調を明暗反転する工程を備えることを特徴とする請求項３記載の網点印刷物の作製方法。
【発明の詳細な説明】
【技術分野】
【０００１】
本発明は、紙幣、パスポート、有価証券、カード及び貴重印刷物等の偽造防止及び改ざん防止機能が必要とされる網点印刷物の作製方法に関するものである。
【背景技術】
【０００２】
近年、カラー複写機の高画質化及び高機能化に伴い、紙幣及び有価証券等の貴重印刷物の偽造製品が出回り、深刻な問題となっている。そのため、従来から貴重印刷物には、複写機での複製が困難な網点構成から成る画像が多く用いられている。
【０００３】
複製が困難な網点構成としては、例えば、本出願人が先に出願した特許文献１に係わるものがある。これは、二種類の異なるハーフトーン領域を同一平面上に均等配置し、それぞれのハーフトーン領域ごとに一つの連続階調画像を表現する網点を配置することで、二つの異なる画像が埋め込まれた網点印刷物である。
【０００４】
この網点印刷物について、図１を用いて説明する。図１（ａ）に示された網点印刷物（１）は、基材（２）の表面上に、図１（ｂ）の拡大図に示すように、２種類のハーフトーン領域として複数の第１のハーフトーン領域（３）と複数の第２のハーフトーン領域（４）とを備えている。
【０００５】
図１（ｃ）に示すように、第１のハーフトーン領域（３）においては、第１の網点部（３ａ）を配置することで通常光源下で視認可能な可視画像（５）が形成される。第１の網点部（３ａ）は、一般の商業印刷で使用されているシアン（Ｃ）、マゼンタ（Ｍ）及びイエロー（Ｙ）で形成する。
【０００６】
また、図１（ｄ）に示すように、第２のハーフトーン領域（４）においては、赤外線光源下で観察した場合に潜像画像（６）を表現する第２の網点部（４ａ）を、一般の商業印刷で使用されているブラック（Ｋ）で形成し、第２の背景部（４ｂ）を、シアン（Ｃ）、マゼンタ（Ｍ）及びイエロー（Ｙ）の色を重ね合わせたブラック（以下「混色ブラック」という。）で形成する。
【０００７】
シアン（Ｃ）、マゼンタ（Ｍ）及びイエロー（Ｙ）は、赤外線を吸収しない特性がある。一方、一般の商業印刷で使用されているブラック（Ｋ）は、カーボンブラックを主体としていることから、赤外線を吸収する特性がある。これにより、通常光源下において第２のハーフトーン領域（４）は、第２の網点部（４ａ）及び第２の背景部（４ｂ）が黒色で視認されることから、濃度が均一な平網状態となり、可視画像（５）が視認される。一方、赤外線光源下においては、潜像画像を形成する第２の網点部（４ａ）のみが視認される。よって、複数の第２の網点部（４ａ）から構成された、潜像画像（６）が視認される。
【０００８】
前述した特許文献１の網点印刷物（１）を作製する場合、二通りの作製方法がある。一つの方法は、オフセット印刷機を利用し、大量、かつ、連続的に印刷する方法である。この場合は、図１に示す網点配置により、あらかじめ潜像画像となるブラック（Ｋ）と、階調画像となるシアン（Ｃ）、マゼンタ（Ｍ）及びイエロー（Ｙ）を、それぞれブラック（Ｋ）インキ、シアン（Ｃ）インキ、マゼンタ（Ｍ）インキ及びイエロー（Ｙ）のプロセスインキに置き換えて、それぞれの色の製版データを作成し、その製版データを基に４つの版面を刷版して作製した後、印刷を行うことで、所望の網点印刷物を容易に作製することができるため、特段の困難性はない。
【０００９】
一方、オフセット印刷機で印刷する方法の他に、版面を用いることなく簡易に特許文献１の網点印刷物を作製する方法として、プリンタを用いた作製方法が求められていた。しかしながら、オフセット印刷機の作製方法においては、各色別々に製版データを作製することが可能であったが、プリンタを用いて出力する際には、各色を一つの画像データとして作製する必要があった。そこで、特許文献１の網点印刷物を、プリンタを用いて容易に出力することを可能とするために、本出願人が先に開示した特許文献２において、プリンタを用いた特許文献１の網点印刷物の作製方法が開示されている。
【００１０】
前述した特許文献１にて提案された特殊な網点構成は、本出願人が先に出願した特許文献２において開示された網点印刷物の作製方法により、簡易に作製し、所望の状態で出力物として得ることが可能となった。
【００１１】
図２は、特許文献２における、網点印刷物の作製方法を示すフローチャートである。まず、可視画像の基となる第１の原画像を画像処理部へ入力し、単色の網点における面積の大小、網点の有無又は単色の画素の分布粗密、若しくは階調情報を持った画素によって表現される第１の画像を作製する（ＳＴＥＰ１）。
【００１２】
次に、第１の画像と同一の画像幅及び画像高さを持つグレー画像を作製し、このグレー画像を画像処理部へ入力して（ＳＴＥＰ１´）マスク画像作製部によって変換し、マスク画像を得る（ＳＴＥＰ２）。
【００１３】
次に、第１の画像と同一の画像幅、画像高さ及び画像解像度を持つように、潜像画像の基となる第２の原画像を画像処理部へ入力し、単色の網点における面積の大小又は単色の画素の分布粗密により、ある特定の観察条件下のみで認識される第２の画像を作製する（ＳＴＥＰ１´´）。
【００１４】
次に、マスク画像と第２の画像をマスク処理部に入力し、マスク処理を行う（ＳＴＥＰ３）。これは、第２の画像に対してマスク画像の白画素に対応する部分を全て白画素に置き換える処理を施すことで、第２の画像のうち、第１のハーフトーン領域（３）に相当する部分を全て白色に置き換えるものである。
【００１５】
ＳＴＥＰ１で入力した第１の画像の上にＳＴＥＰ２で得られたマスク画像を重ね合わせ、さらに、その上にＳＴＥＰ３で得られたマスク処理後の第２の画像を重ね合わせ、全ての画像を合成する（ＳＴＥＰ４）。
【００１６】
以上の工程を経て作製された画像データは、可視画像を基に作製した第１の画像と、潜像画像を基に作製した第２の画像の二つの画像情報が含まれる。よって、この画像データを基とすることで、プリンタにより出力することが可能となった。
【００１７】
ただし、特許文献２の作製方法により特許文献１の印刷物を作製する際には、様々なプリンタ製造メーカによる各社独自の制御方法により、所望する印刷画像、更には前述した潜像印刷物の潜像画像を適正に印刷することができないという問題があった。
【００１８】
図３は、特許文献２の作製方法により作製した特許文献１の網点印刷物を通常光源下で観察した際の模式図である。特許文献１に示す網点印刷物（１）は、第２の網点部（４ａ）をブラック（Ｋ）で形成し、第２の背景部（４ｂ）を混色ブラックで形成するが、一般的なプリンタは、出力すべき画像のデータを、シアン（Ｃ）、マゼンタ（Ｍ）、イエロー（Ｙ）及びブラック（Ｋ）ではなく、赤（Ｒ）、緑（Ｇ）及び青（Ｂ）で受け取った後、自動的に画像データの暗い色をブラック（Ｋ）で出力し、明るい色をシアン（Ｃ）、マゼンタ（Ｍ）及びイエロー（Ｙ）で出力する機構となっている。
【００１９】
つまり、シアン（Ｃ）、マゼンタ（Ｍ）及びイエロー（Ｙ）のみで画像データを作製した場合でも、一般的なプリンタを用いて出力した場合、当該画像データ内に暗い箇所があれば、自動でブラック（Ｋ）のインキに置き換えて出力をしてしまう。反対に、ブラック（Ｋ）のみで画像データを作製した場合でも、当該画像データ内に明るい箇所があれば、自動的にシアン（Ｃ）、マゼンタ（Ｍ）及びイエロー（Ｙ）のインキに置き換えて出力をしてしまう。
【００２０】
よって、第２の網点部（４ａ）及び第２の背景部（４ｂ）を、通常光源下においていずれも黒く視認させるために、第２の網点部（４ａ）と第２の背景部（４ｂ）をいずれも黒で出力するように画像データを作製した場合、一般的なプリンタにおいては、第２の背景部（４ｂ）を暗い色として判断し、シアン（Ｃ）、マゼンタ（Ｍ）及びイエロー（Ｙ）のみで出力したいにも関わらず、自動的にシアン（Ｃ）、マゼンタ（Ｍ）及びイエロー（Ｙ）にブラック（Ｋ）を混色させて出力してしまう。
【００２１】
その結果、赤外線光源下において、第２の網点部（４ａ）と第２の背景部（４ｂ）がいずれも視認されることになり、潜像画像の視認性が低下するという問題がある。
【００２２】
この問題においては、本出願人が先に開示した特許文献３において、あらゆるプリンタにおいても同様に出力が可能なように、特許文献１で開示した網点構成を図３（ｂ）に示すように第２のハーフトーン領域（４）を四分割した後、それぞれの分割した領域に対して、シアン（Ｃ）、マゼンタ（Ｍ）、イエロー（Ｙ）及びブラック(Ｋ)の四原色の各色材が重なり合うことなく配置する網点構成を提案した。よって、特許文献３の網点構成を用いて特許文献２の作製方法により、特許文献１の網点印刷物を作製することで、どのプリンタでも、混色ブラックにブラック（Ｋ）を混色させて出力することなく、潜像画像を表現することが可能となった。
【先行技術文献】
【特許文献】
【００２３】
【特許文献１】特許第３５４４５３６号公報
【特許文献２】特開２００９−２０２４２０号公報
【特許文献３】特許第４２１４２６２号公報
【発明の概要】
【発明が解決しようとする課題】
【００２４】
しかしながら、一般的なプリンタの問題点であるインキの置き換えを防止するため、特許文献３の網点構成を用いて、一般的なプリンタ等の出力機器や、オフセット印刷機及びグラビア印刷機等の公知の印刷機を用いて作製した場合、通常光源下においてシアン（Ｃ）、マゼンタ（Ｍ）、イエロー（Ｙ）及びブラック（Ｋ）と異なる四色のインキで分割して形成された第２のハーフトーン領域（４）を、均一なブラックとして視認可能となるように形成し、更には複数の第２のハーフトーン領域（４）を全て等色として視認可能とするために、シアン（Ｃ）、マゼンタ（Ｍ）、イエロー（Ｙ）及びブラック（Ｋ）の色調整が非常に困難である。
【００２５】
よって、通常光源下において、第２のハーフトーン領域（４）が均一なブラックとして視認されず、図３（ｃ）に示すように、潜像画像（６）が若干視認されることがあった。
【００２６】
本発明は、上記課題の解決を目的とするものであり、一般的なプリンタ等の出力機又はオフセット印刷機等の公知の印刷機を用いた場合でも、ブラック（Ｋ）で形成した第２の網点部（４ａ）と、混色ブラックで形成した第２の背景部（４ｂ）とを通常光源下において、等色として視認可能とする網点印刷物の作製方法である。さらに、従来と比べて通常光源下において潜像画像が視認されず、かつ、赤外線光源下において潜像画像の視認性が良好な網点印刷物の作製方法を提供することにある。
【課題を解決するための手段】
【００２７】
前述の目的を達成するために、請求項１記載の発明は、基材上に、少なくとも第１のハーフトーン領域と第２のハーフトーン領域とが隣接するように複数配置され、第１のハーフトーン領域は、第１の色材により可視画像を形成する第１の網点部を有し、第２のハーフトーン領域は、潜像画像を形成する第２の網点部及び第２の背景部を有し、第２の網点部は、所定の観察条件下において視認可能な第１の機能性を有する第２の色材により形成され、第２の背景部は、第１の機能性を有しないか、又は第１の機能性とは異なる第２の機能性を有する第３の色材により形成された網点印刷物の作製方法であって、複数の画素から成る可視画像の原画像である第１の画像データと、複数の画素から成る潜像画像の原画像である第２の画像データを取得又作製するステップと、所定の観察条件下以外において、可視画像中に潜像画像が視認されることを防ぐために、第１の画像データを補正する処理として、第１の画像データの明度から第２の画像データの明度を引き、明度合成データを作製するステップと、複数の第２のハーフトーン領域のそれぞれの位置、形状及び寸法、また、それぞれの第２のハーフトーン領域に含まれる第２の網点部及び第２の背景部の位置、形状及び寸法に関するマスクデータを取得又は作製するステップと、第２の画像データを、複数の第２のハーフトーン領域で形成された画像データとするために、第２の画像データ及びマスクデータを重ねた後、第２の画像データにおけるマスクデータの白画素に対応する部分を全て白画素に置き換えるためのマスク処理を行うステップと、マスクデータ、マスク処理後の第２の画像データ及び明度合成データを合成し、合成データを作製するステップと、合成データを、基材に所定の方法により出力するステップと、を備えることを特徴とする網点印刷物の作製方法である。
【００２８】
また、請求項２記載の発明は、請求項１記載の網点印刷物の作製方法において、明度合成データを作製するステップは、第２の画像データを構成する複数の画素における最も高い明度を、第１の画像データを構成する複数の画素における最も高い明度に置き換え、第２の画像データを構成する複数の画素における最も低い明度を、第１の画像データを構成する複数の画素における最も低い明度に置き換え、明度調整データを作製するステップと、明度調整データの明度を、第１の画像データの明度に加算し、明度合成データを作製するステップと、を備えることを特徴とする。
【００２９】
また、請求項３記載の発明は、請求項２記載の網点印刷物の作製方法において、明度調整データを作製するステップは、第２の画像データから明度情報を抽出する工程と、第２の画像データを構成する複数の画素のうち、最も高い明度を有する画素と最も低い明度を有する画素の明度の差を小さくすることで、第２の画像データの明度を圧縮する工程と、を備えることを特徴とする。
【００３０】
さらに、請求項４記載の発明は、請求項３記載の網点印刷物の作製方法において、第２の網点部を形成する色材が、第２の背景部を形成する色材よりも明度が低い場合、明度情報を抽出する工程と明度を圧縮する工程の間に、第１の画像データを構成する複数の画素の明度を、第２の画像データを構成する複数の画素の明度よりも高くするために、第２の画像データの階調を明暗反転する工程を備えることを特徴とする。
【発明の効果】
【００３１】
本発明の網点印刷物は、可視画像と潜像画像の明度を調整する明度合成データを用いて作製することで、公知の出力機又は印刷機を用いて、第２の網点部（４ａ）を混色ブラックで形成し、第２の背景部（４ｂ）をブラック（Ｋ）で形成するように画像データを作製した場合でも、通常光源下において第２のハーフトーン領域（４）の網点部と背景部を等色として視認することが可能となる。よって、通常光源下における潜像画像の隠蔽性が向上するとともに、赤外線光源下においても潜像画像が明瞭に視認される網点印刷物を作製することが可能となる。
【図面の簡単な説明】
【００３２】
【図１】特許文献１に係わる網点印刷物を説明する図。
【図２】特許文献２に係わる網点印刷物の作製方法を示すフローチャート。
【図３】特許文献３の網点印刷物における網点構成及び通常光源下において観察される可視画像を示す図
【図４】網点印刷物（１）の通常光源下において観察される可視画像及び可視画像内に隠ぺいされた潜像画像を示す図。
【図５】画像処理装置（Ｓ）を示すブロック図。
【図６】本実施の形態の網点印刷物（１）を作製するフローチャート。
【図７】各画像データの基準点を示す模式図。
【図８】明度合成データを示す模式図。
【図９】明度合成データの作製方法を示すフローチャート。
【図１０】ＳＴＥＰ２−１−１の詳細を示す模式図。
【図１１】ＳＴＥＰ２−１−２の詳細を示す模式図。
【図１２】ＳＴＥＰ２−１−３の詳細を示す模式図。
【図１３】ＳＴＥＰ２−２の詳細を示す模式図。
【図１４】マスクデータを示す模式図。
【図１５】マスク処理工程を示す模式図。
【図１６】各データを合成する模式図。
【図１７】実施例１において用いた各画像データを説明する図。
【図１８】特許文献２に係わる作製方法で得られた網点印刷物を示す模式図。
【発明を実施するための形態】
【００３３】
本発明を実施するための形態について、図面を用いて説明する。しかしながら、本発明は、以下に述べる実施するための形態に限定されるものではなく、特許請求の範囲記載における技術的思想の範囲内であれば、その他いろいろな実施の形態が含まれる。
【００３４】
はじめに、本発明の作製方法を用いて作製した網点印刷物について、図４を用いて説明するが、前述した背景技術で説明した図１の網点印刷物と、網点構成、用いる色材及び形成する画像については同様であることから説明を省略する。
【００３５】
図４は、本発明の作製方法で得られる網点印刷物（１）の通常光源下において観察される可視画像及び可視画像内に隠ぺいされた潜像画像を示す模式図である。図４（ａ）は、網点印刷物（１）を通常光源下で観察した際に視認される可視画像（５）を示す図であり、図４（ｂ）は、可視画像（５）内に隠蔽された潜像画像（６）を示す図である。
【００３６】
図４（ａ）に示す網点印刷物（１）は、前述した図１に示す網点印刷物（１）と同様に、一般的なプリンタを用いて、図４（ｂ）に示す潜像画像（６）を表現する第２の網点部（４ａ）をブラック（Ｋ）で形成し、第２の背景部（４ｂ）を混色ブラックで形成している。前述した特許文献１に記載されている印刷物においては、第２の網点部（４ａ）と第２の背景部（４ｂ）が通常光源下において等色として視認されることにより、可視画像（５）は明瞭に視認され、潜像画像（６）は視認されない。
【００３７】
前述のとおり、一般的なプリンタを用いた出力においては、画像データ内の暗い箇所は、自動的にブラック（Ｋ）インキを含む状態で出力され、画像データ内の明るい箇所は、自動的にシアン（Ｃ）、マゼンタ（Ｍ）及びイエロー（Ｙ）の混色インキを含む状態で出力されてしまうことから、第２の網点部（４ａ）と第２の背景部（４ｂ）は、通常光源下において等色として視認されず、可視画像（５）が明瞭に視認されるとともに、潜像画像（６）も可視画像（５）に重なって視認されてしまう。しかしながら、本発明では、後述する明度合成データを用いて網点印刷物（１）を作成することにより、図４（ａ）に示すように、通常光源下において可視画像（５）が明瞭に視認され、潜像画像（６）は視認されない。
【００３８】
また、図４（ａ）に示す網点印刷物（１）を赤外線光源下において観察した場合、図４（ｂ）に示す潜像画像（６）が明瞭に視認される。このように、本発明の作製方法で得られる網点印刷物（１）は、一般的なプリンタを用いて作製した場合でも、通常光源下においては可視画像（５）が明瞭に視認され、赤外線光源下においては、潜像画像（６）が明瞭に視認される。
【００３９】
次に、図４に示す網点印刷物（１）の作製に用いる装置の構成について、図５を用いて説明する。なお、図５に示した装置は、前述した本出願人が先に出願した特許文献２にて記載されている画像処理装置（Ｓ）である。
【００４０】
画像処置装置（Ｓ）は、入力部（４０１）、処理部（４０２）、記憶部（４０３）及び出力部（４０４）を備えている。入力部（４０１）は、本実施の形態の網点印刷物（１）の作製に必要なデータを入力し、処理部（４０２）に与える。処理部（４０２）は、与えられたデータを記憶部（４０３）に格納するとともに、網点印刷物（１）の作製に必要な演算処理及び画像処理等を行い、得られた結果を出力部（４０４）に与える。出力部（４０４）は、処理部（４０２）から与えられたデータを、外部の、例えば、図示されてない印刷機やプリンタ等に出力する。
【００４１】
図５の画像処理装置（Ｓ）を用いて、本実施の形態による網点印刷物（１）を作製する方法について、その手順を示した図６のフローチャートを用いて説明する。
【００４２】
ＳＴＥＰ１として、第１のハーフトーン領域（３）が形成する可視画像（５）の画像データを取得するために、可視画像（５）の原画像である第１の画像データを処理部（４０２）が作製するか、又はあらかじめ作製及び／又は取得した第１の画像データを入力部（４０１）より取得し、処理部（４０２）を介して記憶部（４０３）に格納する。
【００４３】
入力部（４０１）により取得した原画像が、ビットマップ又はベクトル情報による画像データ（以下「デジタルデータ」という。）でない場合には、デジタルデータへ変換する必要があるため、処理部（４０２）においては、原画像をデジタルデータへ変換するデータ変換手段を更に有することが必要となる。
【００４４】
入力部（４０１）は、可視画像（５）の原画像である第１の画像データを取得する入力部（４０１）と、取得した原画像をデジタルデータに変換するデータ変換手段を一つの機器内に備えたスキャナ等の読取機器又はデジタルカメラ、ビデオカメラ、携帯端末等の撮像機器としても良い。
【００４５】
また、あらかじめ作製及び／又は取得した画像データを第１の画像データとして用いる場合、入力部（４０１）は、あらかじめ作製及び／又は取得した原画像を既にデジタルデータとして記録してあるＣＤ−ＲＯＭ、ＦＤ、ＵＳＢメモリ等の情報記録媒体からデジタルデータを取得するＭＯドライブ、ＣＤ−ＲＯＭドライブ、ＦＤドライブ、イメージカードリーダ等の入出力機器としても良い。
【００４６】
この場合においては、前述のとおり、原画像は既にデジタルデータ化されているため、処理部（４０２）を介す必要はない。よって、入力部（４０１）により取得した後、処理部（４０２）を介すことなく、記憶部（４０３）に格納する。いずれの作成又は取得方法においても、記憶部（４０３）に格納した第１の画像データは、複数の画素又はベクトル情報から成る。
【００４７】
画素とは、格子状に配列して画像を形成する点のことであり、色に関する情報を数値として持つものである。ベクトル情報とは、図形の形状を表す数値情報のことである。例えば、前述の図形が直線であれば直線の両端の位置により、また、例えば、前述の図形が円であれば円の中心位置及び半径により、それぞれの図形の形状が決まる。そのため、これらの各位置や半径等の図形の形状を決める数値情報を記録することによって、複数の図形の重ね合わせにより画像を形成することが可能となる。
【００４８】
画素により画像を形成する画像形式としては、例えば、ＴＩＦＦ形式やＢＭＰ形式等がある。ベクトル情報により画像を形成する画像形式としては、例えば、ＰＤＦ形式やＥＰＳ形式等がある。
【００４９】
なお、本実施の形態におけるデータは、いずれも記憶部（４０３）内に格納されているものであるが、詳細に説明するため、以下の模式的な図面に記載する。
【００５０】
処理部（４０２）において、複数の画素又はベクトル情報から成る第１の画像データを複数の画素から成る画像データに作製する方法としては、ポストスクリプト網点発生法のＨａｌｆｔｏｎｅＴｙｐｅ１６に準じた方法がある。
【００５１】
ポストスクリプトとは、１９８４年にＡｄｏｂｅＳｙｓｔｅｍｓ社から発表されたページ記述言語である。このポストスクリプトを用いることで自由度の高いデザインの文書情報を記述することが可能であることから、印刷分野において、一部のレーザプリンタ、製版フィルム出力機等にポストスクリプトが採用されている。このポストスクリプトの言語仕様に則った網点の発生方法の一種に、ＨａｌｆｔｏｎｅＴｙｐｅ１６がある。
【００５２】
通常は、一つの印刷物内で用いられる網点は一種類であるが、ＨａｌｆｔｏｎｅＴｙｐｅ１６は、一つの印刷物内に二種類の網点を混在可能である点を特徴とする。そのことから、一つの画像に対しても、二種類の領域から成る二種類の網点を付与することが可能である。このＨａｌｆｔｏｎｅＴｙｐｅ１６に準じた方法により、第１の画像データに対してハーフトーン処理を行うことで、複数の画素から成る第１の画像データを作製する。
【００５３】
なお、ハーフトーン処理とは、濃淡情報を持った画像に対して行う変換処理である。本発明において、入力部（４０１）で取得した第１の画像データを処理部（４０２）において、第１の画像データに、あらかじめ指定された一定の間隔ごとに、濃淡情報に対応する面積の網点へとそれぞれ置き換える処理をハーフトーン処理という。
【００５４】
次に、ＳＴＥＰ１´として、第２のハーフトーン領域（４）が形成する潜像画像（６）の画像データを取得するために、潜像画像（６）の原画像である第２の画像データを処理部（４０２）により作製するか、又は外部から第２の画像データとして入力部（４０１）より取得し、処理部（４０２）を介して記憶部（４０３）に格納する。格納した第２の画像データは、複数の画素から成る。
【００５５】
なお、第２の画像データにおいても、前述した第１の画像データと同様に、ＨａｌｆｔｏｎｅＴｙｐｅ１６に準じた方法により、複数の画素又はベクトル情報から、複数の画素から成る画像データに作製する。なお、データ上において画像データは、複数の画素から構成されているが、出力物上においては、複数の網点から構成される。
【００５６】
第１の画像データ及び第２の画像データを画素又はベクトル情報のいずれで構成するかは、今回の発明の本質ではないため、以下の説明においては、第１の画像データ及び第２の画像データが複数の画素から成るものとして説明し、ベクトル情報である場合の記載は省略する。
【００５７】
第１の画像データ及び第２の画像データにおいては、共通する位置の少なくとも任意の三つの点を、各画像データにおけるそれぞれの基準点として設定する。
【００５８】
図７は、図７（ａ）に示す第１の画像データと、図７（ｂ）に示す第２の画像データにおける、それぞれの基準点を示す模式図である。第１の画像データは、網点印刷物（１）上に第一の観察条件である、例えば、通常光源下において認識させたい画像の基となる原画像である。また、第２の原画像は、網点印刷物（１）上に第二の観察条件である、例えば、赤外線光源下において認識させたい画像の基となる原画像である。
【００５９】
基準点を設定する際には、まず、各画像データから、任意の画像データを一つ選ぶ。図７においては、図７（ａ）に示す第１の画像データを選び、次に、任意の三つの点を選ぶ。なお、各画像データは、複数の画素から構成されていることから、ここでいう点とは、一つの画素のことである。
【００６０】
第１の画像データにおいては、まず、一つ目の基準点（Ｐ１１）をゼロ点（０，０）の座標として設定した後、一つ目の基準点（Ｐ１１）からＸ方向へ、Ｘ１の距離にある点を二つ目の基準点（Ｐ２１）とし、さらに、一つ目の基準点（Ｐ１１）からＹ方向へ、Ｙ１の距離にある点を三つ目の基準点（Ｐ３１）とした。このように、Ｐ１１、Ｐ２１及びＰ３１を、第１の画像データにおける基準点に設定した。なお、第１の画像データを構成する複数の画素は、ゼロ点（０，０）に対する距離を示す、固有の位置情報である座標を有する。
【００６１】
次に、第１の画像データで設定した三つの基準点と共通する位置に、図７（ｂ）に示す第２の画像データの基準点を設定する。第２の画像データにおいては、まず、一つ目の基準点（Ｐ１２）をゼロ点（０，０）の座標として設定した後、第１の画像データと同様に、一つ目の基準点（Ｐ１２）からＸ方向へ、Ｘ１の距離にある点を二つ目の基準点（Ｐ２２）とする。
【００６２】
さらに、一つ目の基準点（Ｐ１２）からＹ方向へ、Ｙ１の距離にある点を三つ目の基準点（Ｐ３２）とした。各画像データにおける、三つの基準点間の距離は、同一である。このように、第１の画像データと第２の画像データにおいて共通する位置の任意の三つの点を、それぞれの基準点とする。なお、第２の画像データを構成する複数の画素は、ゼロ点（０，０）に対する距離を示す固有の位置情報である座標を有する。
【００６３】
なお、各画像データが同じ大きさである場合には、各画像データにおける四隅のうち、少なくとも三隅を基準点とすることで、各画像データにおいて共通する位置に、基準点を設定することが可能である。同じ大きさとは、各画像データにおける縦と横の画素の数が同じことをいう。
【００６４】
また、ＴＩＦＦ形式、ＪＰＥＧ形式及びＢＭＰ形式等の一般的な画像形式では、画素が必ず縦横の直交する二つの軸方向に沿って平行に配置されるという特性を持つ。よって、各画像データを構成する全ての画素が、必ず縦横の直交する二つの軸方向に沿って平行に配置されるという特性を持つ場合は、各画像データの縦横方向が自明であり、回転を考慮する必要がないため、基準点は、各画像データにおいてそれぞれ一点のみでよい。以下、本発明においては、各画像データが同じ大きさであり、三つの基準点を有した構成として説明する。
【００６５】
次に、ＳＴＥＰ２として、通常光源下において潜像画像（６）が視認されることを防ぐ明度合成データを、第１の画像データ及び第２の画像データを用いて処理部（４０２）が作製した後、記憶部（４０３）に格納する。
【００６６】
図８（ａ）は、明度合成データを示す模式図である。明度合成データとは、通常光源下において、潜像画像（６）が視認されることを防止するために、第１の画像データの明度から、第２の画像データの明度に後述の明度圧縮処理を施すことで定まる明度を引いた明度を有する画素から成る画像データのことであり、第１の画像データ及び第２の画像データと共通する位置に三つの基準点（Ｐ１３、Ｐ２３、Ｐ３３）を有する。
【００６７】
本発明における明度とは、網点印刷物（１）を作製する際に用いる各画像データを構成する画素ごとの明るさを示す値である。ここでは、明度を０から２５５までの２５６階調で示す。
【００６８】
従来の網点印刷物（１）の作製方法においては、第１の画像データと、第２の画像データを用いて網点印刷物（１）を作製していたが、本発明においては、第１の画像データの代わりに明度合成データを用いて網点印刷物（１）を作製することを特徴とする。明度合成データを用いて作製することで、通常光源下において、潜像画像（６）が視認されることを防止する。
【００６９】
具体例としては、まず、従来の作製方法で網点印刷物（１）を作製する。明度合成データの分解能に制限はないが、後述のとおり第１の画像データを構成する画素と第２の画像データを構成する画素との演算結果を明度合成データに格納することから、第１の画像データの分解能及び第２の画像データの分解能と同一であると、計算量が少なくて望ましい。なお、本発明における分解能とは、明度合成データにおける１画素あたりが、網点印刷物（１）においてどのくらいの寸法であるかを示す値である。
【００７０】
例えば、明度合成データの分解能を０．１ｍｍとした場合には、明度合成データにおける１画素は、網点印刷物（１）における０．１ｍｍ×０．１ｍｍの大きさのことである。よって、分解能０．１ｍｍで、明度合成データが、縦（Ｙ１）２，０００画素、横（Ｘ１）３，０００画素とした場合、従来の方法で作製する図７（ｂ）に示す網点印刷物（１）は、縦（Ｙ１）を２，０００画素×分解能０．１ｍｍ＝２００ｍｍ、横（Ｘ１）を３，０００画素×分解能０．１ｍｍ＝３００ｍｍの大きさで作製する。
【００７１】
以下、説明の都合上、作製した網点印刷物（１）においても、第１の画像データ、第２の画像データ及び明度合成データと共通する位置に三つの基準点（Ｐ１４、Ｐ２４、Ｐ３４）を設定する。共通する位置とは、例えば、第１の画像データ及び第２の画像データにおける左上、左下及び右下の三点を基準点としていることから、網点印刷物（１）においても、印刷物における左上、左下及び右下の三点を基準点とする。
【００７２】
また、網点印刷物（１）を、明度合成データにおける分解能である０．１ｍｍ×０．１ｍｍの大きさで分割することで、分割した一つ一つの領域は、明度合成データと共通する位置にあるゼロ点である基準点（Ｐ１４）に対して、固有の位置情報である座標を有するものとみなすことができ、明度合成データ内の位置と網点印刷物（１）の位置を共通の座標を用いて表すことが可能になる。同様に、第１の画像データ及び第２の画像データについても、それぞれ網点印刷物（１）との間で共通の座標を用いて位置を表すことが可能である。
【００７３】
以下、本実施形態における説明では、各データと網点印刷物との位置関係について、前述した共通の座標に基づいて記述するものとし、例えば、明度合成データと網点印刷物が「同一箇所」という表現は、明度合成データと網点印刷物が共通の座標において同じ座標値であることを表す。
【００７４】
しかし、本発明の網点印刷物（１）は、通常光源下において第２の網点部（４ａ）と第２の背景部（４ｂ）とは、等色として視認されないため、第２の網点部（４ａ）及び第２の背景部（４ｂ）から成る第２のハーフトーン領域（４）の色の明暗は、個々の第２のハーフトーン領域（４）内の第２の網点部（４ａ）の面積の大小に依存する。そのため、本来ならば網点印刷物（１）は、可視画像（５）が明瞭に視認されるとともに、潜像画像（６）も可視画像（５）に重なって視認されてしまう。
【００７５】
図８（ｂ）は、従来の作製方法で得られる網点印刷物（１）を通常光源下で観察した際の平面図である。従来の作製方法で得られる網点印刷物（１）では、第２の網点部（４ａ）と第２の背景部（４ｂ）とが通常光源下で等色に見えなければならず、このとき、第２の網点部（４ａ）及び第２の背景部（４ｂ）から成る第２のハーフトーン領域（４）の色の明暗は、第２の網点部（４ａ）の面積の大小に関係なく一定となる。
【００７６】
しかしながら、図８（ｂ）に示す状態は、従来の作製方法で得られる網点印刷物（１）において、第２の網点部（４ａ）と第２の背景部（４ｂ）とが通常光源下で等色に見えない状態であり、このとき、第２の網点部（４ａ）及び第２の背景部（４ｂ）から成る第２のハーフトーン領域（４）の色の明暗は、個々の第２のハーフトーン領域（４）内の第２の網点部（４ａ）の面積の大小に依存する。そのため、この網点印刷物では、可視画像（５）が明瞭に視認されるとともに、潜像画像（６）も可視画像（５）に重なって視認されてしまう。
【００７７】
なお、網点印刷物（１）において第２の網点部（４ａ）と第２の背景部（４ｂ）との色差に起因して、通常光源下で可視画像（５）に重なって視認されてしまう潜像画像（６）を、本発明においてはゴースト画像と呼ぶ。
【００７８】
ゴースト画像は、本実施形態を詳細に説明するための仮想的な画像であり、単独の網点印刷物（１）又は画像データとしてゴースト画像という実体が存在するわけではない。実際には、網点印刷物（１）を観察しても、可視画像（５）とゴースト画像が重なって視認されてしまい、さらに、両画像を構成する網点が細かく入り組んでいるため、可視画像（５）とゴースト画像を正確に分離することは困難である。
【００７９】
このとき、通常光源下においてゴースト画像がどの程度はっきりと観察されるかは、第２の網点部（４ａ）に付与された色材の色と、第２の背景部（４ｂ）に付与された色材の色との、通常光源下における色差の影響を受ける。この色差が大きいほど、通常光源下でゴースト画像が明瞭に観察され、色差が小さいほど、通常光源下でゴースト画像が淡く観察される。
【００８０】
また、第２の網点部（４ａ）に付与された色材の色が第２の背景部（４ｂ）に付与された色材の色よりも明度が低い場合は、潜像画像（６）と同様のゴーズト画像として視認され、第２の網点部（４ａ）に付与された色材の色が第２の背景部（４ｂ）に付与された色材の色よりも明度が高い場合は、潜像画像（６）を明暗反転させたようなゴーズト画像が視認される。
【００８１】
以下の説明では、第２の網点部（４ａ）に付与された色材の色が第２の背景部（４ｂ）に付与された色材の色より明度が低いものとして説明するが、特に記載がない限り、第２の網点部（４ａ）に付与された色材の色が第２の背景部（４ｂ）に付与された色材の色より明度が高い場合であっても処理の内容は同様である。
【００８２】
図８（ａ）に示す明度合成データは、図８（ｂ）の視認状態を踏まえ、網点印刷物（１）において、可視画像（５）とゴースト画像が重なって暗く視認される箇所においては、処理部（４０２）により、可視画像（５）の原画像である第１の画像データを構成する画素の明度に、ゴースト画像の明暗を反転させた後に同位置部分の明度を加算した明度を有する画素から構成する。
【００８３】
ただし、前述のとおりゴースト画像自体は、あくまで仮想的な画像に過ぎないため、実際には、ゴースト画像の代替として第２の画像データを用いる。しかし、第２の画像データをそのまま用いたのでは、ゴースト画像の定義の一部である、第２の網点部（４ａ）と第２の背景部（４ｂ）との色差による影響は、全く考慮されない。実際には、第２の網点部（４ａ）と第２の背景部（４ｂ）の色差が大きい場合、ゴースト画像は明瞭に観察され、色差が小さい場合、ゴースト画像は淡く観察されることから、このことを処理結果に反映させるために、後述する明度情報の圧縮処理を第２の画像データに対して行うことで、ゴースト画像の代替とする。
【００８４】
このようにして得られる明度合成データは、ゴースト画像中の明度が低い（暗い）部分が、明暗反転時に明度の高い部分となるため、明度合成データの同一箇所の画素は、第１の画像データの同一箇所の画素よりも明度が高く（明るく）なる。また、ゴースト画像中の明度が高い（明るい）部分では、明暗反転時に明度の低い部分となるため、明度合成データの同一箇所の画素は、第１の画像データの同一箇所の画素よりも明度は高く（明るく）ならない。
【００８５】
よって、第１の画像データの代わりに明度合成データを用いて網点印刷物（１）を作製することで、第１の画像データを用いて作成した網点印刷物（１）において、ゴースト画像により低い明度で見える部分は、明度合成データを用いて作成した網点印刷物（１）において、同一箇所の明度合成データが前述の処理によって同一箇所の第１の画像データに対して高い明度であるため、通常光源下においてゴースト画像と明度合成データが重なって見えた際に、ゴースト画像の低い明度による明度下降と、第１の画像データに対する高い明度による明度上昇が重なりあって、その中間の明度として視認されることから、結果として第１の画像データのみが視認される。つまり、網点印刷物（１）において、通常光源下においてゴースト画像が視認されず、可視画像（５）のみが視認される。
【００８６】
このような、ある画像（画像Ａとする。）の明度の高い箇所には別の画像の明度の低い箇所が略同一位置に配置されることにより、肉眼では２つの明度の平均である中間的な明度が視認され、さらに画像Ａの明度の低い箇所には別の画像（画像Ｂとする。）の明度の高い箇所が略同一位置に配置されることにより、肉眼では２つの明度の平均である中間的な明度が視認されることで、いずれの箇所においても中間的な明度のみが観察されることを、本発明では、画像Ａの明暗を「打ち消す」と表現する。
【００８７】
次に、明度合成データの作製方法について、図９に示す明度合成データの作製方法を示すフローチャートに準じて詳細に説明する。
【００８８】
ＳＴＥＰ２−１として、通常光源下で第１の画像に対して、ゴースト画像の明暗を打ち消すような補正を施すために、記憶部（４０３）に格納した可視画像（５）の原画像である第１の画像データと、潜像画像（６）の原画像でありゴースト画像の代替に相当する第２の画像データの明度を、処理部（４０２）により調整して明度調整データを作製した後、記憶部（４０３）に格納する。
【００８９】
以上のように、明度調整データは、網点印刷物（１）において第２の網点部（４ａ）と第２の背景部（４ｂ）との色差に起因して通常光源下で可視画像（５）に重なって視認されてしまうゴースト画像の明暗を打ち消すための処理を、第１の画像データに対して施して得られた画像データである。
【００９０】
本発明においては、第１の画像データの代わりに明度合成データを用いて、従来の網点印刷物（１）の作製方法により網点印刷物（１）を作製することで、通常光源下においてゴースト画像の明暗が打ち消され、可視画像（５）のみが視認されるようになる。
【００９１】
第２の画像データの明度を調整するＳＴＥＰ２−１に示す工程は、第２の画像データを構成する複数の画素における最も明度の高い画素を、第１の画像データを構成する複数の画素における最も高い明度より高くはない第１の明度に置き換え、第２の画像データを構成する複数の画素における最も明度の低い画素を、第１の画像データを構成する複数の画素における最も低い明度より低くない第２の明度に置き換え、第２の画像データを構成する複数の画素において明度が最も高い又は低い明度に該当しない明度を、第１の明度又は第２の明度又は第１の明度と第２の明度の間の任意の明度に置き換えて、明度調整データを作製するステップのことである。
【００９２】
詳細には、記憶部（４０３）に格納した第２の画像データから、処理部（４０２）により第２の画像データを構成する各画素の明度情報を抽出し、記憶部（４０３）に格納するＳＴＥＰ２−１−１と、記憶部（４０３）に格納した第２の画像データを、処理部（４０２）により明暗反転し、記憶部（４０３）に格納するＳＴＥＰ２−１−２と、記憶部（４０３）に格納した第２の画像データから、処理部（４０２）により明度情報を圧縮し、記憶部（４０３）に格納するＳＴＥＰ２−１−３の、３つの工程から成る。
【００９３】
図１０、図１１及び図１２は、ＳＴＥＰ２−１における明度の調整方法の詳細を示す模式図である。図１０は、ＳＴＥＰ２−１−１の詳細を示す模式図である。ＳＴＥＰ２−１−１においては、通常光源下で網点印刷物（１）のどの位置にどの程度の暗さの潜像画像（６）が視認されるかを予測するために、まず、図１０に示す第２の画像データから、処理部（４０２）により明度情報のみを抽出し、明度抽出データを作製する。
【００９４】
明度情報とは、各画像データを構成する画素一つ一つの明度が、どれくらいなのかを示すデータのことである。第２の画像データから明度情報のみを抽出する方法は、第２の画像データを構成する各画素の色情報を基に、公知の計算方法により計算で求めても良い。また、網点印刷物（１）を作製した後に、網点印刷物（１）を構成する網点ごとの明度を公知の明度測定装置を用いて測定することにより、得られた実測値を用いても良い。明度を計算で抽出する方法の一例としては、例えば、各画像データを構成する画素の色を、ＣＩＥ１９７６Ｌ＊ａ＊ｂ＊表色系に変換した後、Ｌ＊の値を明度として用いる方法がある。
【００９５】
なお、ＣＩＥ１９７６Ｌ＊ａ＊ｂ＊表色系とは、ＣＩＥ（国際照明委員会）が１９７６年に推奨した色空間のことであり、日本工業規格でもＪＩＳ  Ｚ  ８７２９に規定されていることから、ここではＣＩＥ１９７６Ｌ＊ａ＊ｂ＊表色系への具体的な変換方法の説明は省略する。
【００９６】
図９に示す第２の画像データの明度情報のみを抽出することで作製した明度抽出データを構成する各画素は、第２の画像データから色彩に関する情報が失われたことで、第２の画像データは、モノクロ多階調画像となる。
【００９７】
前述のとおり、明度合成データにおいては、ゴースト画像の明暗を打ち消すような補正を、可視画像（５）の原画像である第１の画像データに対して施すため、可視画像（５）とゴースト画像が重なって、通常光源下においてゴースト画像が暗く視認される箇所においては、処理部（４０２）により可視画像（５）の原画像である第１の画像データを構成する各画素の明度を明るく（明度を高く）補正した後、補正後の画素から成る第１の画像データを作製する。
【００９８】
反対に、可視画像（５）とゴースト画像が重なって、通常光源下においてゴースト画像が明るく視認される箇所においては、処理部（４０２）により可視画像（５）の原画像である第１の画像データを構成する各画素の明度を暗く（明度を低く）補正した後、補正後の画素から成る第１の画像データを作製する。
【００９９】
つまり、第１の画像を構成する各画素の明度に対して、ゴースト画像の明暗を反転した画像を構成する各画素の明度を加算することによって、明度合成データが得られる。なお、前述のとおり、第２の網点部（４ａ）に付与される色材の色が第２の背景部（４ｂ）に付与される色材の色よりも明度が低い場合、ゴースト画像は、潜像画像（６）と同様の画像として視認され、第２の網点部（４ａ）に付与される色材の色が第２の背景部（４ｂ）に付与される色材の色よりも明度が高い場合、ゴースト画像は、潜像画像（６）を明暗反転させたような画像として視認される。
【０１００】
よって、第２の網点部（４ａ）に付与される色材の色が第２の背景部（４ｂ）に付与される色材の色よりも明度が低い場合は、第１の画像に対して、潜像画像（６）の明暗である、すなわち、明度抽出データの明暗を反転した画像を加算することで、明度合成データが得られるため、ＳＴＥＰ２−１−１のあとに、ＳＴＥＰ２−１−２として処理部（４０２）により明度抽出データの明暗を反転させる。
【０１０１】
また、第２の網点部（４ａ）に付与される色材の色が第２の背景部（４ｂ）に付与される色材の色よりも明度が高い場合は、第１の画像に対して、潜像画像（６）の明暗である、すなわち、明度抽出データの明暗を２回反転した画像を加算することで、明度合成データが得られるが、一般に画像の明暗を２回反転した画像は、基の画像と一致することから、この場合は、ＳＴＥＰ２−１−２を実施しない。
【０１０２】
図１１（ａ）は、明度抽出データを示す模式図であり、図１１（ｂ）は、明暗反転後の明度抽出データを示す模式図である。
【０１０３】
明暗反転方法としては、明暗反転の対象となる画像データの各画素の明度の値を、あらかじめ定めた定数から減じて新たな明度とする方法がある。例えば、明暗反転の対象となる画像データを構成する画素が、０以上２５５以下の明度の画素のみで構成されているとし、あらかじめ定めた定数を２５５とすると、明暗反転の対象となる画像データを構成する画素のうち、明度が０（黒）の画素は、明暗反転後に２５５−０＝２５５の明度（白）とし、同様に明度が２５５（白）の部分は、明暗反転後に２５５−２５５＝０の明度（黒）とする。
【０１０４】
以下、本発明においては、第２の網点部（４ａ）を形成する色材が、第２の背景部（４ｂ）を形成する色材よりも明度が低い場合について説明する。第２の網点部（４ａ）を形成する色材が、第２の背景部（４ｂ）を形成する色材よりも明度が高い場合であっても、ＳＴＥＰ２−１−２の有無以外に処理内容に違いはないため、説明を省略するが、ＳＴＥＰ２−１−２がない場合には、本実施形態の説明中の明暗反転後の明度抽出データを明度抽出データと置き換えるものとする。
【０１０５】
図１２は、ＳＴＥＰ２−１−３の詳細を示す模式図であり、図１２（ａ）は、明暗反転後の明度抽出データを示す模式図である。ＳＴＥＰ２−１−３においては、通常光源下で網点印刷物（１）の可視画像（５）に重なってゴースト画像が視認されないようにするために、明暗反転後の明度抽出データの明度情報を、処理部（４０２）により圧縮し、明度調整データを作製した後、記憶部（４０３）に格納する。
【０１０６】
本発明は、前述のとおり、ゴースト画像中の明度が低い（暗い）部分では、明度合成データの同一箇所の画素を第１の画像データの同一箇所の画素よりも明度を高く（明るく）し、ゴースト画像中の明度が高い（明るい）部分では、明度合成データの同一箇所の画素も、第１の画像データの同一箇所の画素よりも明度を高く（明るく）しているが、ゴースト画像中の明度が低い部分における第１の画像データの同一箇所の画素に対する明度の上昇量は、ゴースト画像中の明度が高い部分における第１の画像データの同一箇所の画素に対する明度の上昇量よりも大きくなる。
【０１０７】
これにより、第１の画像データの代わりに明度合成データを用いて網点印刷物（１）を作製した際には、通常光源下において明度合成データとゴースト画像が重なって視認された場合においても、ゴースト画像の明暗を明度合成データの明暗が打ち消し、肉眼では、ゴースト画像が認識されず、可視画像（５）のみが視認されるものである。
【０１０８】
後述のとおり、明度合成データは、明度調整データの明度を第１の画像データの明度に加算して得られるものである。よって、前述の第１の画像データの同一箇所の画素に対する明度の上昇量は、明度調整データと一致する。
【０１０９】
また、肉眼で観察してもゴースト画像が全く認識されないような本発明における網点印刷物（１）を考えた場合に、このような網点印刷物（１）の作製に用いた明度調整データを「最適な明度調整データ」と定義すると、ゴースト画像が全く認識されないことから、最適な明度調整データは、ゴースト画像の明暗を完全に打ち消しているといえる。
【０１１０】
仮に、網点印刷物（１）の作製に最適な明度調整データよりも明暗差の小さい明度調整データである、すなわち、明暗反転後の明度抽出データの明度情報を過度に圧縮したデータを用いたとすると、最適な明度調整データを用いた場合と比較してゴースト画像の打ち消しが不十分になってしまい、網点印刷物（１）上にゴースト画像が視認されてしまう。
【０１１１】
反対に、網点印刷物（１）の作製に最適な明度調整データよりも明暗差の大きい明度調整データである、すなわち、明暗反転後の明度抽出データの明度情報の圧縮が不十分なデータを用いたとすると、最適な明度調整データを用いた場合と比較してゴースト画像の打ち消しが過度になってしまい、網点印刷物（１）上にゴースト画像の明暗を反転したような画像が視認されてしまう。
【０１１２】
よって、ＳＴＥＰ２−１−３として、明度情報を圧縮処理することで、ゴースト画像の明度に対して、第１の画像データの同一箇所の明度を、過不足なく高くするために必要な処理である。ＳＴＥＰ２−１−３により得られた明度調整データは、後述のＳＴＥＰ２−２において、第１の画像データの明度に加算することで、明度合成データが得られる。
【０１１３】
明度情報を圧縮するとは、画像データの階調を保持しながら、画像を構成する階調の幅を狭くすることであり、図１２（ｃ）に示す公知の線形の明度圧縮方法や、図１２（ｄ）に示す公知の任意指定の明度圧縮方法がある。具体的には、画像データが、０以上２５５以下の明度の画素のみで構成されている場合、０以上２５５以下の明度のみで構成されていた画素を、それよりも狭い範囲として、例えば、３２以上２２３以下の明度のみで構成される画素や、０以上１００以下の明度のみで構成される画素に置き換える画像処理のことをいう。
【０１１４】
図１２（ｂ）は、図１２（ａ）に示す明暗反転後の明度調整データの明度情報を圧縮することで作製した明度調整データを示す図である。ゴースト画像は、前述のとおり、第２の網点部（４ａ）と第２の背景部（４ｂ）との色の差が大きい場合、明瞭に観察され、色の差が小さい場合に淡く観察される。また、このとき、前述した色の差である、すなわち、ゴースト画像の見え方は、印刷に使用する色材や基材等、複数の要因による影響を複雑に受ける。
【０１１５】
以上、明度情報の圧縮は、潜像画像（６）を形成する第２のハーフトーン領域（４）を形成する色材と、前述した図８（ｂ）に示した従来の作製方法で得られる網点印刷物（１）の通常光源下で観察した際の可視画像（５）と潜像画像（６）の視認状態に合わせて、適宜設定する。
【０１１６】
なお、ＳＴＥＰ２−１−１、ＳＴＥＰ２−１−２及びＳＴＥＰ２−１−３においては、処理順序が異なっていても良く、例えば、ＳＴＥＰ１の後に、ＳＴＥＰ２−１−３として、第２の画像データの明度情報を圧縮した後、ＳＴＥＰ２−１−１として、明度情報を圧縮した第２の画像データから明度情報のみを抽出して明度抽出データを作製し、更にその後に、ＳＴＥＰ２−１−２として、明度抽出データの明暗を反転させることで、明度調整データを作製しても良い。その場合においても、前述の順序で行った場合と同様に、明度調整を行うことが可能である。
【０１１７】
ただし、ＳＴＥＰ２−１−１である、明度抽出データの作製を最初に行った場合は、明度情報のみを有する第２の画像データを用いて、その後のＳＴＥＰを行うことが可能となる。それにより、第２の画像データは、データ量が少なくなり、ＳＴＥＰ２−１−１を後工程とした場合と比べ、早い画像処理速度でデータを作製することが可能となる。よって、画像処理速度の観点からはＳＴＥＰ２−１−１を最初に行うことが好ましい。
【０１１８】
以下、本実施の形態においては、ＳＴＥＰ２−１−１により第２の画像データから明度抽出データを作製し、次に、ＳＴＥＰ２−１−２により明度抽出データの明暗を反転し、最後に、ＳＴＥＰ２−１−３として、明暗反転後の明度抽出データの明度を圧縮することで明度調整データを作製したとして説明する。
【０１１９】
次に、ＳＴＥＰ２−２として、通常光源下で可視画像（５）に重なって視認されるゴースト画像の影響を除去するために、処理部（４０２）により、記憶部（４０３）に格納した明度調整データの明度を第１の画像データの明度に加算し、明度合成データを作製して記憶部（４０３）に格納する。
【０１２０】
図１３は、ＳＴＥＰ２−２の詳細を示す模式図である。図１３（ａ）は、記憶部（４０３）に格納した明度調整データを示す模式図である。明度調整データは、明度に関する情報のみを持ち、色彩に関する情報を持たないため、灰色の階調画像となる。図１３（ｂ）は、記憶部（４０３）に格納した第１の画像データを示す模式図である。
【０１２１】
次に、図１３（ａ）に示す明度調整データと、図１３（ｂ）に示す第１の画像データを合成するため、処理部（４０２）により明度加算処理を行い、図１３（ｃ）に示す明度合成データを作製する。
【０１２２】
明度加算処理とは、図１３（ａ）に示す明度調整データを構成する複数の画素がそれぞれ有する明度と、図１３（ｂ）に示す第１の画像データを構成する複数の画素がそれぞれ有する明度とを加算する処理のことである。明度の加算処理は、公知の画像処理方法を用いて行うことが可能であるが、例えば、図１３（ａ）に示す明度圧縮データと、図１３（ｂ）に示す第１の画像データの色を、前述のＣＩＥ１９７６Ｌ＊ａ＊ｂ＊表色系へ色変換した後、２つの画像データの明度Ｌ＊の値を加算する等の方法がある。
【０１２３】
なお、各画像データを構成する画素の明度によっては、明度加算処理により明度圧縮データと第１の画像データの明度を加算した際に、画素の明度が２５５を超えてしまい、明度合成データに格納することができない場合がある。よって、明度加算処理の結果が、明度２５５を超えた場合は、明度加算処理の結果、全ての画素において明度が２０以上２７５以下であるならば、加算結果から最小明度である２０を引いた値を明度合成データにする方法や、明度加算処理結果が２５５を超えないように第１の画像データの明度をあらかじめ圧縮しておく方法等により、適宜明度２５５を超えないように、公知の画像処理方法により調整を行う。
【０１２４】
次に、ＳＴＥＰ３として、複数の第２のハーフトーン領域（４）の位置、形状、寸法等並びに各々の第２のハーフトーン領域（４）を構成する第２の網点部（４ａ）及び第２の背景部（４ｂ）の位置、形状及び寸法等を示すマスクデータを処理部（４０２）が作製又は外部からマスクデータとして入力部（４０１）より取得し、処理部（４０２）を介して記憶部（４０３）に格納する。
【０１２５】
図１４（ａ）は、マスクデータを示す模式図である。マスクデータは、複数の第２のハーフトーン領域（４）へ、潜像画像（６）を配置する際に用いる画像である。マスクデータは、あらかじめ作製しておいた、図１４（ｂ）に示すフォーマットデータを用いて作製される。フォーマットデータとは、本発明における網点印刷物（１）を作製する、複数の第１のハーフトーン領域（３）及び複数の第２のハーフトーン領域（４）を、どのように配置するかが設定されたデータである。
【０１２６】
フォーマットデータは、可視画像（５）を形成する第１のハーフトーン領域（３）と、潜像画像（６）を形成する領域である、第２のハーフトーン領域（４）を、どのように配置するかを設計することで、フォーマットデータが作製される。フォーマットデータは、複数の画素によって構成される。なお、フォーマットデータにおける各ハーフトーン領域（３、４）の配置箇所は、先に出願した特許文献１における網点印刷物の配置箇所となるように作製する。
【０１２７】
あらかじめ作製しておいたフォーマットデータを、入力部（４０１）で取得した後、フォーマットデータを用いてマスクデータを作製する。前述のとおり、マスクデータは、複数の第２のハーフトーン領域（４）へ、潜像画像（６）を配置する際に用いる画像である。よって、フォーマットデータにおける、複数の第２のハーフトーン領域（４）の配置箇所の画素を黒画素とし、複数の第１のハーフトーン領域（３）の配置箇所の画素を白画素とすることで、図１４（ａ）に示すマスクデータが作製される。マスクデータは、各原画像の基準点と対応する基準点（Ｐ１、Ｐ２、Ｐ３）を有する。
【０１２８】
次に、ＳＴＥＰ４として、第２の画像データを複数の第２のハーフトーン領域（４）の第２の網点部（４ａ）及び第２の背景部（４ｂ）により構成させるために、マスクデータを用いて処理部（４０２）がマスク処理を行い、記憶部（４０３）に格納する。
【０１２９】
マスク処理とは、マスクデータの基準点と、第２の画像データの基準点を合わせて、同じ位置となる二つの画素のうち、マスクデータを構成する画素が黒画素ならば、第２の画像データを構成する画素を残し、マスクデータを構成する画素が白画素ならば、第２の画像データを構成する画素を白画素に置き換える処理を第２の画像データを構成する全ての画素に対して施すことで、第２の画像データのうち、複数の第１のハーフトーン領域（３）に相当する部分を全て白色に置き換える処理のことである。
【０１３０】
それにより、第２の画像データは、複数の第２のハーフトーン領域（４）内に配置された第２の網点部（４ａ）のみから成る画像へと変換され、第１の画像データ及び第２の画像データを形成する複数の各網点を、混じり合うことなく印刷領域内へ割り当てることが可能となる。よって、各網点部を形成する材料の特性に対応した観察条件により、可視画像（５）及び潜像画像（６）のいずれかが視認可能な印刷物が作製可能となる。
【０１３１】
図１５は、マスク処理工程を示す模式図である。なお、図１５においては、詳細に説明するために、それぞれの黒画素を斜線で図示し、図１５（ａ）に示す、マスクデータにおける黒画素を太線で囲んでいる。マスク処理工程においては、処理部（４０２）で取得した、図１５（ａ）に示すマスクデータの基準点と、第２の画像データの基準点を合わせる。
【０１３２】
次に、図１５（ａ）に示すマスクデータの基準点（Ｐ１、Ｐ２、Ｐ３）と、図１５（ｂ）に示す第２の画像データの基準点（Ｐ１、Ｐ２、Ｐ３）を合わせる。図１５（ｃ）は、マスクデータ画像と第２の画像データを合わせた際の模式図である。二つのデータを合わせた際に、同じ位置となる二つの画素のうち、マスクデータを構成する画素が黒画素（太線内）ならば、第２の画像データを構成する画素を残す。また、マスクデータを構成する画素が白画素（太線外）ならば、第２の画像データを白画素とする。
【０１３３】
マスク処理を行うことで、第２の画像データのうち、第２のハーフトーン領域（４）に相当しない部分、つまり、第１のハーフトーン領域（３）を形成する画素は白画素となる。よって、図１５（ｄ）に示す、複数の第２の網点部（４ａ）から成る第２の画像データが作製される。なお、図示しないが、複数の第２の網点部（４ａ）から成る第２の画像データにおいても、他のデータと同様に各原画像の基準点と対応する基準点（Ｐ１、Ｐ２、Ｐ３）を有する。また、詳細に説明するために、図１５（ｄ）においては、マスクデータの黒画素部を太線で記しているが、実際には存在するものではない。
【０１３４】
次に、ＳＴＥＰ５において、明度合成データ、マスクデータ及びＳＴＥＰ４において作製したマスク処理後の第２の画像データを合成し、合成データを作製する。図１６は、各データを合成する模式図である。まず、入力部（４０１）に、明度合成データ、マスクデータ及びマスク処理後の第２の画像データを取得する。次に、処理部（４０２）により、明度合成データとマスクデータの基準点を重ね合わせた後、処理部（４０２）により合成処理を行い、二つの画像を合成する。なお、合成処理方法には、例えば、ＸＯＲ演算により合成処理を行う方法がある。
【０１３５】
ＸＯＲ演算とは、論理演算の一つであり、入力される１（黒画素）と０（白画素）の組み合わせのうち、その値が一致しないときに限り、１（黒画素）を出力する演算方式のことである。
【０１３６】
例えば、明度合成データとマスクデータという、二つの画像をＸＯＲ演算により合成した場合には、対応する二つのドットの色を比較し、二つとも黒画素又は二つとも白画素ならば白画素に置き換え、どちらか一方のみが黒画素ならば黒画素に置き換えることで合成され、二つのデータが合成されたデータが作製される。このように、ＸＯＲ演算を用いることで、一回の演算で、二つのデータを合成することが可能となる。なお、ＸＯＲ演算を行うためには、特定の画素の色情報を書き換えることで白画素と黒画素を入れ替えることが可能な画像処理装置（Ｓ）を用いる必要がある。
【０１３７】
なお、図示していないが、明度合成データとマスクデータの二つの画像を合成することで作製したデータにおいても、他のデータと同様に各原画像の基準点と対応する基準点（Ｐ１、Ｐ２、Ｐ３）を有する。
【０１３８】
次に、明度合成データ及びマスクデータの２つの画像を合成することで作製したデータと、ＳＴＥＰ４において作製したマスク処理後の第２の画像データを合成する。合成処理方法としてが、前述した明度合成データ及びマスクデータの２つの画像を合成する場合と同様に、明度合成データ及びマスクデータの２つの画像を合成することで作製したデータと、ＳＴＥＰ４において作製したマスク処理後の第２の画像データの基準点を重ね合わせた後、処理部（４０２）により合成処理を行い、二つの画像を合成する。
【０１３９】
明度合成データと、マスク処理後の第２の画像データとを処理部（４０２）により合成することで、網点印刷物（１）の基データである合成データを作製する。
【０１４０】
完成した合成データには、可視画像（５）及び潜像画像（６）から成る２つの画像情報が含まれている。この合成データを、ＳＴＥＰ６として、外部の印刷機等の出力部（４０４）から出力して網点印刷物（１）が完成する。
【０１４１】
例えば、画像処理装置（Ｓ）により作製した合成データを、オフセット製版装置及びスクリーン製版装置等所望の製版装置へと転送及び入力することで、シアン（Ｃ）、マゼンダ（Ｍ）、イエロー（Ｙ）及びブラック（Ｋ）等の印刷版面を出力する。次に、出力した印刷版面と、各領域における網点部及び背景部を形成する材料を用いて、印刷版面に適した所望の印刷を行うことが可能な出力部（４０４）により、基材上へ印刷を施すことで、網点印刷物（１）となる。
【０１４２】
また、画像処理装置（Ｓ）により作製した合成データを出力部（４０４）であるプリンタへと転送及び入力し、各領域における網点部及び背景部を形成する材料を用いて、基材上へ印刷を施すことで、網点印刷物（１）を作製する。
【０１４３】
以上のように、本実施の形態によれば、明度合成データを用いて網点印刷物（１）のデータを作製することで、通常光源下の観察において、第２のハーフトーン領域（４）に含まれる第２の網点部（４ａ）及び第２の背景部（４ｂ）が等色として視認され、潜像画像（６）の隠蔽性を向上させることができる。
【０１４４】
上記実施の形態に基づいて作製した実施例としての網点印刷物について、以下に説明する。
【実施例１】
【０１４５】
図５に示す画像処理装置（Ｓ）を用いて、図６に示す手順に従い、網点印刷物を作製した。図１７（ａ）は、実施例１において用いた可視画像（５）の原画像である第１の画像データであり、図１７（ｂ）は、潜像画像（６）の原画像である第２の画像データである。
【０１４６】
第１の画像データは、解像度２５４０ｄｐｉのＲＧＢ画像データであり、Ａの文字が描かれ、Ａの文字部分は、全てＲＧＢ値１２８、１２８、１２８（灰色）の画素で、Ａの文字以外の部分は、全てＲＧＢ値２１０、２１０、２１０（明るい灰色）の画素で構成した。また、第２の画像データは、解像度２５４０ｄｐｉのＲＧＢ画像データであり、Ｂの文字が描かれ、Ｂの文字部分は、全てＲＧＢ値０、０、０（黒）の画素で、Ｂの文字以外の部分は、全てＲＧＢ値２５５、２５５、２５５（白）の画素で構成した。
【０１４７】
ＳＴＥＰ１として、第１の画像データ及び第２の画像データを、外部から入力部（４０１）によって取得し、処理部（４０２）を介して記憶部（４０３）に格納した。なお、ＲＧＢ画像データである第１の画像データ及び第２の画像データは、ＴＩＦＦ形式で記憶部（４０３）に格納した。
【０１４８】
次に、ＳＴＥＰ２として、明度合成データを作製した。まず、ＳＴＥＰ２−１として、第２の画像データに対して、処理部（４０２）により明度調整を行い、記憶部（４０３）に格納した。具体的には、ＳＴＥＰ２−１−１として、第２の画像データから処理部（４０２）により明度情報のみを抽出し、明度調整データを作製した。明度は、ＲＧＢ値の平均値と定義し、第２の画像データ原画像のうち、ＲＧＢ値０、０、０（黒）の画素は、明度０とし、ＲＧＢ値２５５、２５５、２５５（白）の画素は、明度２５５とすることで、明度情報のみを抽出した。
【０１４９】
次に、ＳＴＥＰ２−１−２として、処理部（４０２）により明度調整データの明暗を反転した。さらに、ＳＴＥＰ２−１−３として明暗反転後の明度調整データの明度情報を、処理部（４０２）により圧縮し、明度圧縮データを作製した後、記憶部（４０３）に格納した。なお、ＳＴＥＰ２−１−２及びＳＴＥＰ２−１−３においては、以下の式により行った。
【０１５０】
【数１】
2014079917.tif 000003
【０１５１】
上記の式は、第２の画像データを構成する各画素に対して、各画素のＲ値＋Ｇ値＋Ｂ値を、ＲＧＢの平均の明度を求めるために、３で割ることにより得た明度を、２５５から引くことにより明暗反転をし、さらに（４０÷２５５）を掛けることにより、明度情報を圧縮する処理である。これにより、明度圧縮データを構成する各画素は、ＲＧＢ値０、０、０（黒）の部分（Ｂの文字部分）が明度４０となり、ＲＧＢ値２５５、２５５、２５５（白）の部分（Ｂの文字以外の部分）が明度０となる。
【０１５２】
次に、ＳＴＥＰ２−２として、記憶部（４０３）に格納した明度圧縮データ及び第１の画像データを、処理部（４０２）により明度加算処理を行い、図１７（ｃ）に示す明度合成データを作製した。このとき、第１の画像データを構成する画素のＲ値、Ｇ値、Ｂ値のそれぞれに、明度圧縮データを構成する画素の明度の値を加えた。一例としては、ＲＧＢ値１２８、１２８、１２８の画素に明度４０を加算した結果は、ＲＧＢ値１６８、１６８、１６８の画素となった。また、ＲＧＢ値２１０、２１０、２１０の画素に明度４０を加算した結果は、ＲＧＢ値２５０、２５０、２５０の画素となった。
【０１５３】
次に、ＳＴＥＰ３として、複数の第２のハーフトーン領域（４）の位置、形状及び寸法等並びに各々の第２のハーフトーン領域（４）を構成する第２の網点部（４ａ）及び第２の背景部（４ｂ）の位置、形状及び寸法等を示すマスクデータを外部から入力部（４０１）で取得し、処理部（４０２）を介して記憶部（４０３）に格納した。第１のハーフトーン領域（３）を４０×４０ピクセルとし、第２のハーフトーン領域（４）を１５×１５ピクセルとした。
【０１５４】
次に、ＳＴＥＰ４として、第２の画像データを複数の第２のハーフトーン領域（４）の第２の網点部（４ａ）及び第２の背景部（４ｂ）により構成させるために、マスクデータを用いて処理部（４０２）がマスク処理を行い記憶部（４０３）に格納した。
【０１５５】
次に、ＳＴＥＰ５において、明度合成データ、マスクデータ及びＳＴＥＰ４において作製したマスク処理後の第２の画像データを合成して、合成データを作製した。次に、作製した合成データを基に、本出願人が先に出願した特許文献２に記載した方法により、印刷版面データを作製した。第２のハーフトーン領域（４）の第２の網点部（４ａ）は、ＲＧＢ値を０、０、０（黒）とし、第２の背景部（４ｂ）は、ＲＧＢ値を１２８、１２８、１２８（灰）とした。こうして得られた印刷版面データを図１７（ｄ）に、その部分の拡大図を図１７（ｅ）にそれぞれ示す。
【０１５６】
最後にＳＴＥＰ６として、得られた印刷版面データに対し、Ａｄｏｂｅ（登録商標）社製の画像処理ソフトウェアであるＰｈｏｔｏｓｈｏｐ（登録商標）の印刷機能を用いて印刷を行った。出力部（４０４）として、ＲＩＣＯＨ（登録商標）社製カラーレーザプリンタＩＰＳｉＯ  ＳＰ  Ｃ４１１（登録商標）を用いて、Ｃａｎｏｎ（登録商標）社製カラーレーザコピア用紙（品番ＴＫＣＬＡ３）に印刷を行った。
【０１５７】
このようにして作製した網点印刷物を通常光源下において肉眼で観察したところ、図１７（ｄ）で示した印刷版面データと同様の見え方の階調画像が視認された。第２のハーフトーン領域（４）における第２の網点部（４ａ）による潜像画像（６）は、図１７（ｄ）に示したのと同様に、肉眼では確認されなかった。
【０１５８】
この印刷物を、赤外線カメラを用いて肉眼で観察したところ、第２のハーフトーン領域（４）における第２の網点部（４ａ）が形成する潜像画像（６）が視認され、第１のハーフトーン領域（３）による可視画像（５）は確認されなかった。
【０１５９】
次に、比較例として、図１７（ａ）で示した第１の画像データと、図１７（ｂ）で示した第２の画像データを用いて、本出願人が先に出願した特許文献２に記載した方法により、明度調整を行わない場合の印刷版面データを作製し、さらに、網点印刷物を作製した。このとき、明度合成データの代わりに第１の画像データを用いる点以外は、明度調整を行った場合と同じ条件で印刷版面データ及び網点印刷物を作製した。明度調整を行わない場合の印刷版面データを図１８（ａ）に、その部分拡大図を図１８（ｂ）に示す。
【０１６０】
作製した網点印刷物を通常光源下において肉眼で観察したところ、図１８（ａ）で示した印刷版面データと同様の見え方の階調画像が視認された。第２のハーフトーン領域（４）における第２の網点部（４ａ）による潜像画像（６）は、図１８（ａ）に示したのと同様に、可視画像（５）に重なって視認された。
【０１６１】
以上の例から、明度調整を行うことにより、図１７（ｄ）に示されたように、通常光源下において可視画像上に潜像画像（６）がほとんど視認されることがなく、明度調整がもたらす偽造防止効果を確認することができた。また、前述の実施例１は、本発明の一例であって、本発明の技術的範囲を限定するものではなく、本発明の技術的範囲内において様々に変形することが可能である。
【符号の説明】
【０１６２】
１  網点印刷物
２  基材
３  第１のハーフトーン領域
３ａ  第１の網点部
４  第２のハーフトーン領域
４ａ  第２の網点部
４ｂ  第２の背景部
５  可視画像
６  潜像画像
Ｓ  画像処理装置
４０１  入力部
４０２  処理部
４０３  記憶部
４０４  出力部
【図１】
2014079917.tif 000004
【図２】
2014079917.tif 000005
【図３】
2014079917.tif 000006
【図４】
2014079917.tif 000007
【図５】
2014079917.tif 000008
【図６】
2014079917.tif 000009
【図７】
2014079917.tif 000010
【図８】
2014079917.tif 000011
【図９】
2014079917.tif 000012
【図１０】
2014079917.tif 000013
【図１１】
2014079917.tif 000014
【図１２】
2014079917.tif 000015
【図１３】
2014079917.tif 000016
【図１４】
2014079917.tif 000017
【図１５】
2014079917.tif 000018
【図１６】
2014079917.tif 000019
【図１７】
2014079917.tif 000020
【図１８】
2014079917.tif 000021